(57)【要約】【課題】外出する場合に、クレジットカードや名刺などの小物を出し入れし易く、きれいに収納及び保管して、利用者が別に手提げや背中に背負うバッグなどを利用する必要なく、身軽で気軽に外出することができる金属ケースを提供する、【解決手段】クレジットカードなどを収納する収納空間を有し、中空の長方体であって、且つ対向する両{躍壁と該両側壁を連結する長手方向の一側壁との三面の側壁と一底面のみを有し、該三側壁の内面にスライド溝を形成する金属の支持具と、内部に収納部を有し、該収納部の対向する両側壁の一方に該収納部に対応して設けられた蓋体を設けてなる金属のケースとを含んでなる。【選択図】図1
0003118536.tif 000002
【実用新案登録請求の範囲】
【請求項１】
クレジットカードなどを収納する収納空間を有し、中空の長方体であって、且つ対向する両側壁と該両側壁を連結する長手方向の一側壁との三面の側壁と一底面のみを有し、該三側壁の内面にスライド溝を形成する金属の支持具と、内部に収納部を有し、該収納部の対向する両側壁の一方に該収納部に対応して設けられた蓋体を設けてなる金属のケースとを含んでなることを特徴とする金属ケース。
【請求項２】
前記スライド溝は内側に磁鉄を設けてなることを特徴とする請求項1に記載する金属ケース。
【請求項３】
前記蓋体は、開閉用に押し圧式のロックを設けてなることを特徴とする請求項1に記載する金属ケース。
【請求項４】
クレジットカードなどを収納する収納空間を有する中空の長方体であって、かつケースと一体に形成された支持具と、該収納空間の対向する両側壁の内の一側壁の収納空聞に対応して支持具を被覆するように回動自在に接続された蓋体とを含んでなることを特徴とする金属ケース。
【請求項５】
前記蓋体は押し圧式のロックと回復バネとを具えてなることを特徴とする請求項4に記載する金属ケース。
【考案の詳細な説明】
【技術分野】
【０００１】
この考案は、金属ケースに関し、特にクレジットカードや名刺などを入れて保管、もしくは携帯することができる金属ケースに関する。
【背景技術】
【０００２】
外出する場合、人々は携帯品の多さによってショルダーバッグや背中に背負うバッグなど携帯するバッグの形態やサイズを選んで使用する。しかしながら、毎回バッグを変えると、携帯品を入れる場所が決まっていないため、急な支払の場合に財布やクレジットカードがみつからない、という問題が発生する可能性がある。このため、外出先で急に支払などを行う場合に、すぐ、クレジットカードなどを取り出せれば、非常に便利である、
【０００３】
また、クレジットカードや名刺などのビジネス用品だけを携帯する場合、多くの人はそれらを財布などに入れて携帯する事が多い。
【０００４】
しかしながら、軽くて薄い小物でも枚数が多い場合には入れた財布の形状が膨らんで変形し、その財布をポケットに入れた場合には、ポケットが変形して膨らむため、洋服のシルエットが損なわれる。また、クレジットカードや名刺だけを携帯するためにバッグなどを携帯することは不便で、別のバッグに入れて携帯しても外出先でバッグを忘れてしまうこともある。
【考案の開示】
【考案が解決しようとする課題】
【０００５】
そこで、この考案は外出する場合に、クレジットカードや名刺などの小物を出し入れし易く、きれいに収納及び保管して、利用者が別に手提げや背中に背負うバッグなどを利用する必要なく、身軽で気軽に外出することができる金属ケースを提供することを課題とする。
【課題を解決するための手段】
【０００６】
そこで、本考案者は従来の技術に見られる欠点に鑑みて鋭意研究を重ねた結果、クレジットカードなどを収納する収納空間を有し、中空の長方体であって、且つ対向する両側壁と該両側壁を連結する長手方向の一側壁との三面の側壁と一底面のみを有し、該三側壁の内面にスライド溝を形成する金属の支持具と、内部に収納部を有し、該収納部の対向する両側壁の一方に該収納部に対応して設けられた蓋体を設けてなる金属のケースとを含んでなる金属ケースによって本考案の課題を解決できる点に着眼し、かかる知見に基づいて本考案を完成させた。
以下、この考案について具体的に説明する。
【０００７】
請求項1に記載する金属ケースは、クレジットカードなどを収納する収納空間を有し、中空の長方体であって、且つ対向する両側壁と該両側壁を連結する長手方向の一側壁との三面の側壁と一底面のみを有し、該三側壁の内面にスライド溝を形成する金属の支持具と、内部に収納部を有し、該収納部の対向する両側壁の一方に該収納部に対応して設けられた蓋体を設けてなる金属のケースとを含んでなる、
【０００８】
請求項2に記載する金属ケースは、請求項１におけるスライド溝が内側に磁鉄を設けてなる。
【０００９】
請求項3に記載する金属ケースは、請求項1における蓋体が、開閉用に押し圧式のロックを設けてなる。
【００１０】
請求項4に記載する金属ケースは、クレジットカードなどを収納する収納空間を有する中空の長方体であって、かつケースと一体に形成された支持具と、該収納空間の対向する両側壁の内の一側壁の収納空間に対応して支持具を被覆するように回動自在に接続された蓋体とを含んでなる.
【００１１】
請求項5に記載する金属ケースは、請求項4における蓋体が押し圧式のロックと回復バネとを具えてなる。
【考案の効果】
【００１２】
この考案の金属ケースは、すばやく簡単にどこでも収納したクレジットカードや名刺などを取り出すことができるとともに、様々な対象物に取り付けることができるため、実用的な効果を有する。
【考案を実施するための最良の形態】
【００１３】
この考案は、クレジットカードや名刺などを入れて保管、もしくは携帯することができる金属ケースであって、クレジットカードなどを収納する収納空間を有し、中空の長方体であって、且つ対向する両側壁と該両側壁を速結する長手方向の一側壁との三面の側壁と一底面のみを有し、該三側壁の内面にスライド溝を形成する金属の支持具と、内部に収納部を有し、該収納部の対向する両側壁の一方に該収納部に対応して設けられた蓋体を設けてなる金属のケースとを含んでなり、すばやく簡単にどこでも収納したクレジットカードや名刺などを取り出すことができるという目的を達成した。係る構成の金属ケースついて、その構造と特徴を詳述するために具体的な実施例を挙げ、以下に説明する。
【実施例】
【００１４】
図1に、この考案の分解図を、図2に、この考案の斜視図を開示する。図面によると、収納空間10を有する中空の長方体であって、かつ対向する両側壁と該両側壁を連結する長手方向の一側壁との三面の側壁と一底面のみを有し、該三面の側壁の内面にはスライド溝11が形成され、該スライド溝11の内部には適宜な位置に磁鉄12(図示しない)が設けられた金属の支持具1と、内部にクレジットカードや名刺などを入れるための収納部20と、該収納部20の両側壁の内の一側壁に収納部20に対応した蓋体を具えてなる長方体の金属のケース2とを含んでなる,
【００１５】
該ケース2は、支持具1のスライド溝11に挿入して支持具1に設けられ、該スライド溝11に埋設された磁鉄12の作用で固定される。また、該ケース2は、図4に開示するように押し圧式のロック21をケース2の側面に設けて閉じる場合に利用できる。ケース2を開ける場合には、再度手でケース2を押すとロック21が解除されてケース2が開けられる.
【００１６】
また、上述の支持具1は図3に開示するように、底端面の適宜な位置にフック13と突起14が設けられ、これらを利用して支持具1をベルト3上に設けることができる。該支持具1をベルト3のバックルと一体に形成して、該フック13にベルト3の一端を通し、該突起14をベルト3上の孔30(図示しない)に挿入して位置決めすることによりケース2をベルト3上に設けて使用することができる。
【００１７】
上述のようにケース2をベルト3上に設けて使用する場合には、日常生活に必要な物もしくはクレジットカード、名刺など携帯する物を予めケース2内に入れてから該ケース2を支持具1上に嵌設し、ベルト3を装着する。
よって、利用者はベルト3を装着すると同時にクレジットカード、名刺などを携帯することができるとともに、必要なときにすばやくケース2を支持具1から取り出し、開いて使用することができる。使用後は該ケース2を支持具1のスライド溝11に挿入して収納空間10に設ける。
【００１８】
図4に、この考案の他の実施例を開示する。図面によると、収納空間15を有する中空の長方体であって、かつケースと一体になった支持具1と、対向する両側壁の内の一方に回動自在に接続された蓋体4とを含んでなり、該蓋体4は収納空間15に対応して支持具1を被覆するように設けられる。また、該蓋体4と収納空間15の一側壁とは回復バネ40(図示しない)を通して接続し、該蓋体4の外周縁部には、蓋をする場合に利用する押し圧式のロック21を設けてなる。よって、利用者が蓋体4を開けて必要な物を取り出した後、バネの回復力により自動的に蓋が閉じるため、収納空間15に入れたものが落ちることを防ぐ。
【００１９】
該支持具1は、前述のようにベルト3上に設けて、利用者がベルト3を装着すると同時に支持具1を身につけることができる。よって、利用者は蓋体4を開いてクレジットカード、名刺などを取り出して使用した後、蓋体4から手を離すと回復バネ40の回復力により自動的にすばやく蓋を閉じることができ、便利である。
【００２０】
図5、6に、上述の支持具1は手提げバッグ、フリーフケース、背中に背負うバッグなど様々な対象物に設けて利用することができるため実用性に優れている。
【００２１】
また、この考案の支持具1は、ソファーや椅子の肘置きの上など適宜に室内でも設ける。よって、長時問室内にいる場合や、長時間ソファーや椅子に座っている場合でも、利用者はクレジットカードや名刺などを支持具1内に入れて保管し、必要なときに支持具1から取り出せばよい。また、該支持具1はどこにでも設けることができるため、クレジットカードなどを隠して収納、保管する効果も有する。
【００２２】
以上はこの考案の好ましい実施例であって、この考案の実施の範囲を限定するものではない、よって、当業者のなし得る修正、もしくは変更であって、この考案の糟神の下においてなされ、この考案に対して均等の効果を有するものは、いずれも本考案の実用新案請求の範囲に属するものとする。
【図面の簡単な説明】
【００２３】
【図１】この考案の金属ケースを示した分解図である。
【図２】図1に開示した金属ケースを示した斜視図である。
【図３】図1に開示した金属ケースの実施形態を示した平面図である。
【図４】この考案の金属ケースの他の実施例を示した斜視図である。
【図５】図4に開示した金属ケースの実施形態を示した斜視図である。
【図６】図4に開示した金属ケースの他の実施形態を示した斜視図である。
【符号の説明】
【００２４】
１  支持具
１０  収納空間
１１  スライド溝
１２  磁鉄
１３  フック
１４  突起
１５  収納空間
２  ケース
２０  収納部
２１  ロック
３  ベルト
３０  孔
４  蓋体
４０  回復バネ
【図１】
0003118536.tif 000003
【図２】
0003118536.tif 000004
【図３】
0003118536.tif 000005
【図４】
0003118536.tif 000006
【図５】
0003118536.tif 000007
【図６】
0003118536.tif 000008
【手続補正書】
【提出日】平成17年11月15日(2005.11.15)
【手続補正１】
【補正対象書類名】実用新案登録請求の範囲
【補正対象項目名】請求項４
【補正方法】変更
【補正の内容】
【請求項４】
クレジットカードなどを収納する収納空間を有する中空の長方体であって、かつケースと一体に形成された支持具と、該収納空間の対向する両側壁の内の一側壁の収納空聞に対応して支持具を被覆するように回動自在に接続された蓋体とを含んでなることを特徴とする請求項１記載の金属ケース。